(57)【要約】      （修正有）【課題】簡単な構造で、設置スペースが狭小で足るほか、製作コストが安価で済み、しかも複数個の植木鉢の高さを容易に調節できるスタンド型植木鉢を提供する。【解決手段】支持台２に支柱３を立設すると共に、中央付近に支柱３に適合するボス８を設けた複数個の植木鉢４をそのボス部においてスライド可能に貫通した状態のもとに段状に固定するようにした。【選択図】図１
0003205589.tif 000002
【実用新案登録請求の範囲】
【請求項１】
支持台（２）に支柱（３）を立設すると共に、中央付近に支柱（３）に適合するボス（８）を設けた複数個の植木鉢（４）をそのボス（８）部において前記支柱（３）にスライド可能に貫通した状態のもとに段状に固定するようにしたことを特徴とするスタンド型植木鉢。
【請求項２】
共通または一対の支持台（２）に支柱（３）を２本立設する共に、支柱（３）に適合するボス（８）を互いに間隔を保って設けた複数個の植木鉢（４）をそのボス（８）部において支柱（３）にスライド可能に貫通した状態のもとに段状に固定するようにしたことを特徴とするスタンド型植木鉢。
【請求項３】
ボス（８）に固定用の雄ねじ（１１）を半径方向に螺装して植木鉢（４）を支柱（３）に固定するようにした請求項１または請求項２に記載のスタンド型植木鉢。
【請求項４】
柱（３）と植木鉢（４）との固定構造として、スリーブ雄ねじ（１２）の端縁に植木鉢（４）の底壁（６）に対接する比較的大径のフランジ（１３）を形成すると共に、これに対し内向きフランジ（１４）があるほか前記スリーブ雄ねじ（１２）に対応する雌ねじ（１５）があるナット（１６）を設けて、これらスリーブ雄ねじ（１２）とナット（１６）との中間に環状弾性体（１７）が挟持される状態のもとに螺着したまま支柱（３）にスライトさせるようにし、かつ一対のスリーブ雄ねじ（１２）を設けて各スリーブ雄ねじ（１２）のフランジ（１３）を植木鉢（４）の底壁（６）の上下双方から対接した状態のもとに設けて植木鉢４を設置することを特徴とする請求項１または請求項２に記載のスタンド型植木鉢。
【請求項５】
支柱（３）と植木鉢（４）との固定構造として、植木鉢（４）の底壁（６）に形成したボス（８）に雄ねじ（１８）とテーパー部（１９）とを延設すると共に、テーパー部（１９）には軸線方向に複数本のすり割り（２０）を設け、かつこれに対し雄ねじ（１８）とテーパー部（１９）とに各別に対応する雌ねじ（２１）とテーパー部（２２）とが形成されたナット（２３）を設けて、ナット（２３）を雄ねじ（１８）に螺着することにより、テーパー部（１９）とテーパー部（２２）とによるくさび作用のもとに、植木鉢（４）を支柱（３）に固定するようにした請求項１または請求項２に記載のスタンド型植木鉢。
【考案の詳細な説明】
【技術分野】
【０００１】  本考案は草花の寄せ植えに適するスタンド型植木鉢の構造に関し、詳しくは複数の植木鉢を段状に設置する植木鉢に関する。
【背景技術】
【０００２】  支柱の周囲に複数の支持腕を放射状に設けると共に、この支持腕の先端に盆状受皿を取り付けて、その受皿に植木鉢を載置するようにしたフラワースタンドは公知であり、また大きさの異なる複数個の植木鉢を段状に積み重ねる構造も提案されている。
【先行技術文献】
【特許文献】
【０００３】
【特許文献１】  実用新案登録第３０９０６５２号公報
【特許文献２】  実用新案登録第３１７９２６２号公報
【考案の概要】
【考案が解決しようとする課題】
【０００４】  上記特許文献の構造によれば、構造が複雑であるばかりでなく、製作コストが高価となる欠点があり、かつ設置スペースを広く必要としている。【０００５】  そこで本考案の目的は、簡単な構造のもとに、設置スペースが狭小で足るほか、製作コストが安価で済み、しかも複数個の植木鉢の高さを容易に調節することができるスタンド型植木鉢を提供することにある。
【課題を解決するための手段】
【０００６】  上記目的を達成するため、請求項１の考案は、支持台２に支柱３を立設すると共に、中央付近に支柱３に適合するボス８を設けた複数個の植木鉢４をそのボス８部において前記支柱３にスライド可能に貫通した状態のもとに段状に固定するようにしたことを特徴とするスタンド型植木鉢。【０００７】  請求項２の考案は、共通または一対の支持台２に支柱３を２本立設する共に、支柱３に適合するボス８を互いに間隔を保って設けた複数個の植木鉢４をそのボス８部において支柱３にスライド可能に貫通した状態のもとに段状に固定するようにしたことを特徴とするスタンド型植木鉢。【０００８】  請求項３の考案は、ボス８に固定用の雄ねじ１１を半径方向に螺装して植木鉢４を支柱３に固定するようにした請求項１または請求項２に記載のスタンド型植木鉢。【０００９】  請求項４の考案は、支柱３と植木鉢４との固定構造として、植木鉢４にボスを直接設けることなく、スリーブ雄ねじ１２の端縁に植木鉢４の底壁６に対接する比較的大径のフランジ１３を形成すると共に、これに対し内向きフランジ１４があるほか前記スリーブ雄ねじ１２に対応する雌ねじ１５があるナット１６を設けて、これらスリーブ雄ねじ１２とナット１６との中間に環状弾性体１７が挟持される状態のもとに螺着したまま支柱３にスライドさせるようにし、かつ一対のスリーブ雄ねじ１２を用意して各スリーブ雄ねじ１２のフランジ１３を植木鉢４の底壁６の上下双方から対接した状態のもとに設けて植木鉢４を設置するようにした請求項１または請求項２に記載のスタンド型植木鉢。【００１０】  請求項５の考案は、支柱３とボス８との固定構造として、植木鉢４の底壁６に形成したボス８に雄ねじ１８とテーパー部１９とを延設すると共に、テーパー部１９には軸線方向に複数本のすり割り２０を設け、かつこれに対し雄ねじ１８とテーパー部１９とに各別に対応する雌ねじ２１とテーパー部２２とが形成されたナット２３を設けて、ナット２３を雄ねじ１８に螺着することにより、テーパー部１９とテーパー部２２とによるくさび作用のもとに、植木鉢４を支柱３に固定するようにした請求項１または請求項２に記載のスタンド型植木鉢。
【考案の効果】
【００１１】  請求項１の考案によれば、支持台２に支柱３を立設すると共に、中央付近に支柱３に適合するボス８を設けた複数個の植木鉢４をそのボス８部において前記支柱３にスライド可能に貫通した状態のもとに段状に固定するようにしたから、複数個の植木鉢を安定的に段状に設置することができ、かつ多数の草花を周囲からコンパクトに植え込み、観賞することができる。【００１２】  請求項２の考案は、共通または一対の支持台２に支柱３を２本立設する共に、支柱３に適合するボス８を互いに間隔を保って設けた複数個の植木鉢４をそのボス８部において支柱３にスライド可能に貫通した状態のもとに段状に固定するようにしたから、大型の植木鉢を安定的に段状に設置することができ、かつ多数の草花をコンパクトに植え込み、観賞することができる。【００１３】  請求項３の考案によれば、ボス８に固定用の雄ねじ１１を半径方向に螺装して植木鉢４を支柱３に固定するようにしたから、複数個の植木鉢を任意の高さに安定的に段状に設置することができ、しかも構造が著しく簡単かつ製造コストが安価である。【００１４】  請求項４の考案によれば、支柱３と植木鉢４との固定構造として、植木鉢４にボスを直接設けることなく、スリーブ雄ねじ１２の端縁に植木鉢４の底壁６に対接する比較的大径のフランジ１３を形成すると共に、これに対し内向きフランジ１４があるほか前記スリーブ雄ねじ１２に対応する雌ねじ１５があるナット１６を設けて、これらスリーブ雄ねじ１２とナット１６との中間に環状弾性体１７が挟持される状態のもとに螺着したまま支柱３にスライドさせるようにし、かつ一対のスリーブ雄ねじ１２を用意して各スリーブ雄ねじ１２のフランジ１３を植木鉢４の底壁６の上下双方から対接した状態のもとに設けて植木鉢４を設置するようにした固定操作が容易であるほか審美性に富む。【００１５】  請求項５の考案によれば、支柱３とボス８との固定構造として、植木鉢４の底壁６に形成したボス８に雄ねじ１８とテーパー部１９とを延設すると共に、テーパー部１９には軸線方向に複数本のすり割り２０を設け、かつこれに対し雄ねじ１８とテーパー部１９とに各別に対応する雌ねじ２１とテーパー部２２とが形成されたナット２３を設けて、ナット２３を雄ねじ１８に螺着することにより、テーパー部１９とテーパー部２２とによるくさび作用のもとに、植木鉢４を支柱３に固定するようにしたから、比較的簡単な構造のもとに固定操作が容易でしかも堅固に固定することができる。
【図面の簡単な説明】
【００１６】
【図１】  本考案の第１実施形態におけるスタンド型植木鉢を示す部分的破断側面図である。
【図２】  本考案の第２実施形態におけるスタンド型植木鉢を示す斜面図である。
【図３】  本考案の他の実施形態における要部だけの縦断側面図である。
【図４】  本考案の更に他の実施形態における要部だけの縦断側面図である。
【考案を実施するための形態】
【００１７】  本考案の第１実施形態のスタンド型植木鉢を図１により説明すると、複数個の支脚１を放射状に設けた支持台２に円管状の支柱３を垂直に立設してスタンドを形成し、その支柱３に複数の植木鉢４を適度の高低差のもとに段状に設けるのであるが、植木鉢４としては、例えば排水孔５がある底壁６と周側壁７とがある容器状のプラスチック製のものを採択して、その底壁６の中央付近に前記支柱３にスライド可能な縦向きのボス８を設けてこのボス８に半径方向の雌ねじ９を穿設するほか、雌ねじ９には操作用ハンドル１０付きの雄ねじ１１を螺装し、これにより複数の植木鉢４をそのボス８部において支柱３に貫通させた状態のもとにスライドさせつつ、任意の位置において雄ねじ１１のねじ込みにより支柱３に固定することができるようにする。
【００１８】  本考案の第２実施形態のスタンド型植木鉢を図２により説明すると、複数個の支脚１を放射状に設けた支持台２に円管状の支柱３を垂直に立設したスタンドを２個並設するほか、対向辺に前記支柱３にスライド可能な縦向きのボス８を設けた箱形等の大型の植木鉢４をその両ボス８部において前記両支柱３に貫通させた状態のもとにスライドさせつつ、任意の位置において各ボス８部の雄ねじ１１をねじ込むことにより支柱３に固定することができるようにする。これにより大型の植木鉢４を安定的に設置することができる。
【００１９】  支柱３に植木鉢４を固定する構造としては、ボス８に操作用ハンドル１０付きの雄ねじを１を螺装してその雄ねじ１１のねじ込みにより固定する構造に限らず種々の構造を採択することができるのであって、植木鉢４にボスを直接設けることなく、スリーブ雄ねじ１２の端縁に植木鉢４の底壁６に対接する比較的大径のフランジ１３を形成すると共に、これに対し内向きフランジ１４があるほか前記スリーブ雄ねじ１２に対応する雌ねじ１５があるナット１６を設けて、これらスリーブ雄ねじ１２とナット１６との中間に環状弾性体１７が挟持される状態のもとに螺着したまま支柱３にスライドさせ、適宜位置においてナット１６の締め込みにより環状弾性体１７を軸方向に押しつぶし、スリーブ雄ねじ１２を支柱３に固定するようにし、このようなかフランジ１３がある固定構造を一対用意してこれらフランジ１３を植木鉢４の底壁６の上下双方から対接した状態のもとに設けて植木鉢４を設置するようにする。
【００２０】  また図４の固定構造は、植木鉢４の底壁６にボス８に雄ねじ１８とテーパー部１９とを延設すると共に、テーパー部１９には軸線方向に複数本のすり割り２０を設け、かつこれに対し雄ねじ１８とテーパー部１９とに各別に対応する雌ねじ２１とテーパー部２２とが形成されたナット２３を設けて、ナット２３を雄ねじ１８に螺着することにより、テーパー部１９とテーパー部２２とによるくさび作用のもとに、植木鉢４を支柱３に確固に固定するようにする。
【００２１】  前記実施形態においては、植木鉢４の段数は３段の場合を図示しているが、３段に限ることなく、２段でもよくまた４段以上でもよいこと当然である。また各構成部材の材質については、特定していないものについては、通常の適用範囲の材質であれば種々の材質を採択して使用することができる。例えば支持台２，支柱３，雄ねじ１１は金属またはプラスチックが使用でき、また固定構造の構成部材はプラスチックの成型品が望ましい。その他図２の実施形態においては、支持台２が２脚の場合を図示しているが、横長の単一支持台を採択してもよいのである。
【符号の説明】
【００２２】１    支脚
２    支持台
３    支柱
４    植木鉢
５    排水孔
６    底壁
７    周側壁
８    ボス
９    雌ねじ
１０  操作用ハンドル
１１  雄ねじ
１２  スリーブ雌ねじ
１３  フランジ
１４  内向きフランジ
１５  雌ねじ
１６  ナット
１７  環状弾性体
１８  雄ねじ
１９  テーパー部
２０  すり割り
２１  スリーブ雌ねじ
２２  テーパー部
２３  ナット
【図１】
0003205589.tif 000003
【図２】
0003205589.tif 000004
【図３】
0003205589.tif 000005
【図４】
0003205589.tif 000006